(57)【要約】【課題】蓋体の開閉部を繰り返し開閉しても、何ら支障なく前記開閉部の開いた状態を維持でき、しかも合理的かつ簡単な構成で作製が容易なトップオープンカートンを提供する。【解決手段】上面開放形状の本体と、この本体を覆い前記本体の背面板上端に連設された蓋体とから成り、この蓋体は開閉部を有する構成とされたトップオープンカートンにおいて、本体の側面板に面外方向に回動可能なフラップ片が連設されていることを特徴とする。【選択図】図５
2008230637.tif 000002
【特許請求の範囲】
【請求項１】
上面開放形状の本体と、この本体を覆い前記本体の背面板上端に連設された蓋体とから成り、この蓋体は開閉部を有する構成とされたトップオープンカートンにおいて、
本体の側面板に面外方向に回動可能なフラップ片が連設されていることを特徴とする、トップオープンカートン。
【請求項２】
蓋体の開閉部はフラップ片に支持され、開いた状態が維持されることを特徴とする、請求項１に記載のトップオープンカートン。
【請求項３】
蓋体の開閉部は、開く際に下端縁がフラップ片を引き上げ、同フラップ片を通り超えた背面板側の側縁が前記フラップ片に支持され、開閉部の開いた状態が維持され、開閉部を閉じる際には、前記側縁がフラップ片を押し下げることを特徴とする、請求項１又は請求項２に記載のトップオープンカートン。
【請求項４】
フラップ片の背面板側の側縁に凹凸部が形成されており、
蓋体の開閉部の下端縁にも、前記開閉部を開く際に上記フラップ片の背面板側の側縁と接する領域に凹凸部が形成されていることを特徴とする、請求項１〜請求項３のいずれか一に記載のトップオープンカートン。
【請求項５】
蓋体の開閉部における背面板側の側縁は、背面板側に向かって斜めに形成されていることを特徴とする、請求項１〜請求項４のいずれか一に記載のトップオープンカートン。
【請求項６】
蓋体の開閉部における背面板側の側縁に凹凸部が形成されていることを特徴とする、請求項１〜請求項５のいずれか一に記載のトップオープンカートン。
【発明の詳細な説明】
【技術分野】
【０００１】
この発明は、菓子などの内容物を収納するトップオープンカートンの技術分野に属する。
【背景技術】
【０００２】
従来のトップオープンカートンは、底面板と正面板と背面板と左右両側面板とを有する上面開放形状の本体と、この本体を覆う上面板と正面板と左右両側面板とを有し、同上面板が前記本体の背面板上端に折線を介して連設された蓋体とから成る。この蓋体は、前記折線と平行に上面板に折線が形成され、さらに前記折線から連続するように左右両側面板に切れ目が形成されており、前記折線をヒンジとして開閉部が開閉する構成とされている。
【０００３】
しかし、菓子などの内容物を取り出す際に、開閉部の開いた状態を維持できず、意に反して閉じてしまう問題点があった。
【０００４】
そこで、例えば特許文献１のトップオープンカートンは、開口部が形成された上面板と前記開口部に対応する位置に開閉部が形成された蓋体とが重ね合わされており、同開口部のヒンジを成す折線から背面板側に突出するコ字切り込みが刻設されている。開閉部を開くと、前記コ字切り込みで囲まれた突出部が上面板上に支承され、それによって開閉部の開いた状態を維持する構成とされている。
【０００５】
また、特許文献２のトップオープンカートンは、主蓋体に全周囲がミシン目で囲まれた開放片が形成されており、この開放片のヒンジを成す折線の略中央部に背面板側に突出する係止片が形成されている。前記開放片には、副蓋体が貼り合わされており、前記開放片のヒンジを成す折線と同一線上に、副蓋体のヒンジを成す折線が形成されている。この副蓋体のヒンジを成す折線の略中央部には、正面板側に突出する固定片が形成されている。副蓋体を開くと、ミシン目によって主蓋体から分離された開放片も開き、副蓋体の固定片の先端部が開放片の係止片上面に当接して、開いた状態を維持する構成とされている。
【０００６】
【特許文献１】特開２００３−１２８０５５号公報
【特許文献２】特開２００４−２９９７３２号公報
【発明の開示】
【発明が解決しようとする課題】
【０００７】
特許文献１のトップオープンカートンは、コ字切り込みで囲まれた突出部を無理やりに上面板上で反り返る方向を逆転させる構成であるため、何度と開閉部の開閉を繰り返しているうちに、前記突出部が脆くなり、開閉部の開いた状態を維持できない問題点がある。しかも、合理的な構成とは云えない。
【０００８】
特許文献２のトップオープンカートンは、構成が複雑で製作が煩雑である。
【０００９】
本発明の目的は、蓋体の開閉部を繰り返し開閉しても、何ら支障なく前記開閉部の開いた状態を維持でき、しかも合理的かつ簡単な構成で作製が容易なトップオープンカートンを提供することである。
【課題を解決するための手段】
【００１０】
上記背景技術の課題を解決するための手段として、請求項１に記載した発明に係るトップオープンカートンは、
上面開放形状の本体と、この本体を覆い前記本体の背面板上端に連設された蓋体とから成り、この蓋体は開閉部を有する構成とされたトップオープンカートンにおいて、
本体の側面板に面外方向に回動可能なフラップ片が連設されていることを特徴とする。
【００１１】
請求項２記載の発明は、請求項１に記載のトップオープンカートンにおいて、
蓋体の開閉部はフラップ片に支持され、開いた状態が維持されることを特徴とする、
請求項３記載の発明は、請求項１又は請求項２に記載のトップオープンカートンにおいて、
蓋体の開閉部は、開く際に下端縁がフラップ片を引き上げ、同フラップ片を通り超えた背面板側の側縁が前記フラップ片に支持され、開閉部の開いた状態が維持され、開閉部を閉じる際には、前記側縁がフラップ片を押し下げることを特徴とする。
【００１２】
請求項４記載の発明は、請求項１〜請求項３のいずれか一に記載のトップオープンカートンにおいて、
フラップ片の背面板側の側縁に凹凸部が形成されており、
蓋体の開閉部の下端縁にも、前記開閉部を開く際に上記フラップ片の背面板側の側縁と接する領域に凹凸部が形成されていることを特徴とする。
【００１３】
請求項５記載の発明は、請求項１〜請求項４のいずれか一に記載のトップオープンカートンにおいて、
蓋体の開閉部における背面板側の側縁は、背面板側に向かって斜めに形成されていることを特徴とする。
【００１４】
請求項６記載の発明は、請求項１〜請求項５のいずれか一に記載のトップオープンカートンにおいて、
蓋体の開閉部における背面板側の側縁に凹凸部が形成されていることを特徴とする。
【発明の効果】
【００１５】
本発明に係るトップオープンカートンは、蓋体の開閉部を開き、その状態を維持し、さらに閉じる一連の流れに無理がないので、蓋体の開閉部を繰り返し開閉しても、何ら支障なく前記開閉部の開いた状態を維持できる。しかも合理的かつ簡単な構成であるので、作製が容易である。
【発明を実施するための最良の形態】
【００１６】
＜実施形態１＞
本発明に係るトップオープンカートンの実施形態を図面に基いて説明する。
【００１７】
本実施形態のトップオープンカートン１は、底面板２と正面板３と背面板４と左右両側面板５、６とを有する上面開放形状の本体７と、この本体７を覆う上面板８と正面板９と左右両側面板１０、１１とを有し、同上面板８が前記本体７の背面板４の上端に折線Ｌ１を介して連設された蓋体１２とから成る。この蓋体１２は、前記折線Ｌ１と平行に上面板８の略中央位置（但し、この限りでない。）に折線Ｌ２が形成され、さらに前記折線Ｌ２から連続するように左右両側面板１０、１１に切れ目Ｃ１、Ｃ２が形成されており、前記折線Ｌ２をヒンジとして開閉部１３が開閉する構成とされている。
【００１８】
つまり、上記トップオープンカートン１は、通例のトップオープンカートンと略同様の構成とされているが、本体７の左右両側面板５、６の上端に面外方向に回動可能なフラップ片１４が連設されており、蓋体１２の開閉部１３を開いた際に、同開閉部１３は前記フラップ片１４に支持され、開いた状態が維持される構成とされている（請求項１及び請求項２記載の発明）。
【００１９】
フラップ片１４は要部分が直角のほぼ扇形状に形成されており、その大きさは閉じた状態で本体７の側面板５（６）の面内に収まる大きさとされている。このフラップ片１４は、蓋体１２の開閉部１３を開いた際に、同開閉部１３の下端縁１３ａが前記フラップ片１４を引き上げることができ、かつ前記フラップ片１４を通り超えた背面板側の側縁１３ｂが前記フラップ片１４に支持されて上記開閉部１３の開いた状態を維持できるように、本体７の側面板５（６）の上端に折線Ｌ３（Ｌ４）を介して、上記扇の要部分を背面板側に配置した形態で連設されている。その結果、蓋体１２の開閉部１３は、開く際に下端縁１３ａがフラップ片１４を引き上げて（図２を参照）、さらに開いて前記フラップ片１４を通り超えた、つまり上方に配置された背面板側の側縁１３ｂが前記フラップ片１４に支持され、開閉部の開いた状態が維持される構成となる（図３〜図５を参照、請求項３記載の発明）。
【００２０】
このとき、フラップ片１４の背面板側の側縁１４ａに凹凸部１５が図７の紙面に対して平行に形成されており、蓋体１２の開閉部１３の下端縁１３ａにも、前記開閉部１３を開く際に上記フラップ片１４の側縁１４ａと接する領域に凹凸部１６が図７の紙面に対して平行に形成されていることが好ましい（請求項４記載の発明）。蓋体１２の開閉部１３の下端縁１３ａでフラップ片１４を引き上げる際に、抵抗が大きくなり確実に引き上げることができる。
【００２１】
また、蓋体１２の側面板１０（１１）に形成された切れ目Ｃ１（Ｃ２）が背面板側に向かって斜めに形成され、すなわち、蓋体１２の開閉部１３における背面板側の側縁１３ｂは、背面板側に向かって斜めに形成されていることが好ましい（請求項５記載の発明）。開閉部１３の側縁１３ｂの回転半径が大きくなり、ひいては開閉部１３の下端縁１３ａがフラップ片１４の側縁１４ａに接する領域も広くなり、より確実にフラップ片１４を引き上げることができる。
【００２２】
更には、蓋体１２の開閉部１３における側縁１３ｂに凹凸部１７が図７の紙面に対して平行に形成されていることが好ましい（請求項６記載の発明）。前記開閉部１３の側縁１３ｂがフラップ片１４上に止まることができるように、滑り止めの役割を担う。
【００２３】
蓋体１２の開閉部１３を閉じる際には、同開閉部１３の側縁１３ｂがフラップ片１４を押し下げ、本体７の側面板５（６）と蓋体１２の側面板１０（１１）との間に格納し、前記開閉部１３は閉じられる（図１及び図６を参照、請求項２記載の発明）。
【００２４】
以上より、蓋体１２の開閉部１３を開き、その状態を維持し、さらに閉じる一連の流れに無理がないので、蓋体１２の開閉部１３を繰り返し開閉しても、何ら支障なく前記開閉部１３の開いた状態を維持できる。しかも合理的かつ簡単な構成であるので、作製が容易である。
【００２５】
上記構成のトップオープンカートン１は、図７に示すブランクを用いて作製することができる。
【００２６】
図示のブランクは、蓋体１２の正面板９に折線Ｌ５を介して上面板８が、前記上面板８に折線Ｌ１を介して本体７の背面板４が、前記本体７の背面板４に折線Ｌ６を介して底面板２が、前記底面板２に折線Ｌ７を介して正面板３が一連に連設されている。ちなみに、本実施形態の正面板３は、外側の正面板３ａと内側の正面板３ｂとを間隔を開けて組み立てることができる二重構造とされている。
【００２７】
蓋体１２の上面板８に折線Ｌ８、Ｌ９を介して左右の側面板１０、１１が連設されており、左右の側面板１０、１１には、前記上面板８の略中央位置に折線Ｌ1と平行に形成された折線Ｌ２から連続する切れ目Ｃ１、Ｃ２が形成されている。つまり、折線Ｌ２及び切れ目Ｃ１、Ｃ２で囲まれ、蓋体１２の正面板９を含む領域が開閉部１３と成る。
【００２８】
蓋体１２の左右の側面板１０、１１に折線Ｌ１０、Ｌ１１を介して貼着板１８、１９が連設されている。本体７の背面板４に折線Ｌ１２、Ｌ１３を介して貼着板２０、２１が連設されている。本体７の底面板２に折線Ｌ１４、Ｌ１５を介して左右の側面板５、６が連設されており、左右の側面板５、６には、上述した所望の位置に折線Ｌ３、Ｌ４を介してフラップ片１４、１４が連設されている。本体７の外側の正面板３ａに折線Ｌ１６、Ｌ１７を介して貼着板２２、２３が連設されている。
【００２９】
上記各々の貼着板を糊しろとして組み立てると、上記構成のトップオープンカートン１を得ることができる。このとき、蓋体１２の開かない側の側面板は本体７の側面板に接合する。
【００３０】
＜実施形態２＞
なお、上記実施形態１では、蓋体１２の開閉部１３の側縁１３ｂがフラップ片１４に支持され、開閉部の開いた状態が維持されているが、フラップ片１４の背面板側の側縁１４ａに凹凸部１５が形成されており、蓋体１２の開閉部１３の下端縁１３ａにも、前記開閉部１３を開く際に上記フラップ片１４の側縁１４ａと接する領域に凹凸部１６が形成されていれば、凹凸部１５、１６相互が噛み合って開閉部１３を開いた状態に維持できる（図２を参照）。このとき、凹凸部１５、１６相互の噛み合う位置を変えて任意の位置に開閉部１３を固定できる。
【００３１】
＜実施形態３＞
また、フラップ片１４の形状と本体７の側面板５（６）に連設される位置との関係は、蓋体１２の開閉部１３を開いた際に、開閉部１３の下端縁１３ａが前記フラップ片１４を引き上げることができ、かつ前記フラップ片１４を通り超えた背面板側の側縁１３ｂが前記フラップ片に支持されて開閉部１３の開いた状態を維持できれば、特に限定されない。例えば、図８に示すように、フラップ片１４を正面板側に傾斜した形態で面外方向に回動するように、本体７の側面板５（６）の上部に連設しても良い。このとき、フラップ片１４の側縁１４ａは前記フラップ片１４が正面板側に傾斜した分だけ、開閉部１３の下端縁１３ａと低い位置から引っ掛かることになり、確実にフラップ片１４を引き上げることができる。
【００３２】
さらに、凹凸部１５、１６、１７の形状も、特に限定されない。
【図面の簡単な説明】
【００３３】
【図１】本発明に係るトップオープンカートンの開閉部を閉じた状態を示した概略斜視図である。
【図２】蓋体の開閉部の下端縁でフラップ片を引き上げる状態、又は前記下端縁をフラップ片に支持されて開閉部を任意の位置に固定した状態を示した概略斜視図である。
【図３】蓋体の開閉部の側縁をフラップ片の上方に配置した状態を示した概略斜視図である。
【図４】蓋体の開閉部の側縁をフラップ片上に配置した状態を示した概略斜視図である。
【図５】本発明に係るトップオープンカートンの開閉部を開いた状態を示す概略斜視図である。
【図６】蓋体の開閉部の下端縁でフラップ片を押し下げる状態を示した概略斜視図である。
【図７】ブランクの一例を示した平面図である。
【図８】フラップ片の異なる形態を示した概略斜視図である。
【符号の説明】
【００３４】
１  トップオープンカートン
２  底面板
３  正面板
４  背面板
５、６  側面板
７  本体
８  上面板
９  正面板
１０、１１  側面板
１２  蓋体
１３  開閉部
１４  フラップ片
１５、１６、１７  凹凸部
１８〜２３  貼着板
Ｌ１〜Ｌ１７  折線
Ｃ１、Ｃ２  切れ目
【図１】
2008230637.tif 000003
【図２】
2008230637.tif 000004
【図３】
2008230637.tif 000005
【図４】
2008230637.tif 000006
【図５】
2008230637.tif 000007
【図６】
2008230637.tif 000008
【図７】
2008230637.tif 000009
【図８】
2008230637.tif 000010